(57)【要約】【課題】軽量で運搬し易く、さび難いラックの提供を提供する。【解決手段】本発明にかかるラック１は、アルミニウム製の支柱９、１１と、支柱９、１１間に架設するアルミニウム製の横材１３、１５とを備え、横材１３、１５は、互いに対向する脚部２１、２１と、脚部２１、２１を連結する連結部２３を有し、脚部２１、２１と連結部２３で略断面コ字形状を成し、脚部２１、２１間に支柱９、１１の端部９ａ、１１ａが挿入してあり、連結部側の脚部間の間隔Ｗ３が、開口部と連結部との間の中間部の脚部間の間隔Ｗ２よりも広くしてある。【選択図】図１
2020018485.tif 000002
【特許請求の範囲】
【請求項１】
アルミニウム製の支柱と、支柱間に架設するアルミニウム製の横材とを備え、横材は、互いに対向する脚部と、脚部を連結する連結部を有し、脚部と連結部で略断面コ字形状を成し、脚部間に支柱の端部が挿入してあり、連結部側の脚部間の間隔が、開口部と連結部との間の中間部の脚部間の間隔よりも広くしてあることを特徴とするラック。
【発明の詳細な説明】
【技術分野】
【０００１】
本発明は、ラックに関する。
【背景技術】
【０００２】
従来のラックは、スチール製の支柱と、支柱間に架設するスチール製の横材とを備えている。
【発明の概要】
【発明が解決しようとする課題】
【０００３】
しかし、支柱と横材とは共にスチール製であるため、重く運搬が大変であると共にさび易いという問題があった。
【０００４】
そこで、本発明は、軽量で運搬し易く、さび難いラックの提供を目的とする。
【課題を解決するための手段】
【０００５】
請求項１に記載の発明は、アルミニウム製の支柱と、支柱間に架設するアルミニウム製の横材とを備え、横材は、互いに対向する脚部と、脚部を連結する連結部を有し、脚部と連結部で略断面コ字形状を成し、脚部間に支柱の端部が挿入してあり、連結部側の脚部間の間隔が、開口部と連結部との間の中間部の脚部間の間隔よりも広くしてあることを特徴とするラックである。
【発明の効果】
【０００６】
請求項１に記載の発明によれば、支柱及び横材は、アルミニウム製であるからスチール製に比較して、軽量で運搬し易いと共にさび難い。  
横材は、連結部側の脚部間の間隔が中間部の脚部間の間隔よりも広くしてあるから、横材に支柱の端部を挿入するときに支柱の端部に切断のばり等があっても、そのまま脚部間に挿入して組立てても、ばりは支柱の端部と共に中間部の脚部間の間隔よりも間隔の広い連結部側に収めることができるから、組立性が良い。  
【図面の簡単な説明】
【０００７】
【図１】本発明の実施の形態にかかる上横材の正面図である。
【図２】本発明の実施の形態にかかる前側支柱の図であり、（ａ）は平面図、（ａ）は側面図である。
【図３】上横材に横方向から前支柱の端部を挿入する工程を示す図である。
【図４】上横材に前支柱の端部を脚部間の開口部側から挿入する工程を示す図であり、（ａ）は上横材の開口部に支柱の端部を挿入する前の状態、（ｂ）は上横材の中間部に支柱の端部が入る前の状態、（ｃ）は上横材に前支柱の端部が挿入し終えた状態である。
【図５】前後の支柱と上下の横材とを枠組みした枠体の図であり、（ａ）は側面図、（ｂ）は平面図、（ｃ）は正面図である。
【図６】係止金具の図であり、（ａ）は正面図、（ｂ）は側面図、（ｃ）は平面図、（ｄ）は底面図である。
【図７】本発明の実施の形態にかかるラックを備えた冷蔵ショーケースの図であって、図８（ａ）に示すＡ−Ａ断面図である。
【図８】本発明の実施の形態にかかるラックを備えた冷蔵ショーケースの図であって、（ａ）は水平断面図、（ｂ）は扉を除いて示す正面図である。
【発明を実施するための形態】
【０００８】
以下に、図１〜図８を参照して本発明の実施の形態を説明する。  
図７及び図８に示すように、本実施の形態にかかるラック１は、店舗の冷蔵ショーケース４内に設置されるものであり、冷蔵ショーケース４の扉３を開いて、ラック１の前側から客が飲料ボトル等の商品を取り出し、後側から店員が商品を補充するものである。  
ラック１は、枠体５と、左右に隣合う枠体５、５の前側で枠体５、５の下端部どうしを連結した前下板６（図８（ｂ）参照）及び上端部どうしを連結した前上板８（図８（ｂ）参照）と、左右に隣合う枠体５、５間に取付けた棚板７を備えている。前上板８は、連結金具１０ａで扉３の上側に位置する上躯体２ａに固定されている。  
また、枠体５の下側には、下支持部材１２（図７参照）が連結してあり、下支持部材１２は扉３の下側に位置する下躯体２ｂに連結金具１０ｂを介して取付けてある。  
【０００９】
図５に示すように、枠体５は、前側支柱（支柱）９と、後側支柱（支柱）１１と、前側支柱９と後側支柱１１間に架設した上横材（横材）１３と、下横材（横材）１５とを備えている。  
各支柱９、１１及び各横材１３、１５はそれぞれアルミニウム製の押出し形材である。
前側支柱９及び後側支柱１１は同種の形材であり、図２（ａ）に示すように、略四角柱形状を成す中空形材であり、その長手方向を所定の長さで切断して上下寸法を同じ長さにしてある。前側支柱９及び後側支柱１１は同一の構成であるから、以下に前側支柱９の構成を説明し、後側支柱１１の説明は省略する。  
図２（ａ）に示すように、前側支柱９は、左右の各側面に、長手方向に沿って係止孔１７が列設されている。係止孔１７の列を挟む両側には、後述する係止金具３１の回転防止溝１９が係止孔１７の列に沿って形成されている。  
【００１０】
次に、上横材１３と下横材１５について説明するが、上横材１３及び下横材１５は同一の構成であるから、以下に上横材１３の構成を説明し、下横材１５の説明を省略する。
図１及び図５（ａ）（ｃ）に示すように、上横材１３は、互いに対向する脚部２１、２１と、対向する脚部２１、２１を連結する連結部２３を有し、対向する脚部２１、２１と連結部２３で略断面コ字形状を成している。  
また、上横材１３の前側端部では、対向する脚部２１、２１間に前側支柱９の端部９ａが挿入してあり、前側支柱９の端部９ａは上横材１３にビス２７で固定してある。同様に、上横材１３の後側端部でも、対向する脚部２１、２１間に後側支柱１１の端部１１ａが挿入してあり、後側支柱１１の端部１１ａは横材１３にビス２７で固定してある。  
【００１１】
図１に示すように、対向する脚部２１、２１の対向面には、開口側面２１ａと、連結部側面２１ｂと、中間面２１ｃとが形成されている。中間面２１ｃは、開口側面２１ａと連結部側面２１ｂとの間に位置している。  
対向する脚部２１、２１の開口側面２１ａ、２１ａ間の間隔（開口部側の脚部間の間隔）Ｗ１は、中間面２１ｃ、２１ｃ間の間隔（中間部の脚部間の間隔）Ｗ２よりも広くしてあり、連結部側面２１ｂ、２１ｂ間の間隔（連結部側の脚部間の間隔）Ｗ３も中間部の間隔Ｗ２よりも広くしてある。例えば、中間部の脚部間の間隔Ｗ２に対して、開口部側の脚部間の間隔Ｗ１及び連結部側の脚部間の間隔Ｗ３はそれぞれ約１ｍｍ大きい。例えば、中間部の脚部間の間隔Ｗ２は約２２ｍｍであり、開口部側の脚部間の間隔Ｗ１及び連結部側の脚部間の間隔Ｗ３は約２３ｍｍである。  
また、脚部２１、２１の連結部側面２１ｂ、２１ｂにおいて、脚部２１と連結部２３とのコーナー部には、窪み部３０が形成されている。本実施の形態では、窪み部３０は連結側部面２１ｂよりも約０．３ｍｍ窪んで形成されている。  
対向する脚部２１、２１において、中間面２１ｃと開口側面２１ａとの間には、開口側面２１ａ側に間隔を次第に広くした開口側傾斜面２１ｄが形成されている。中間面２１ｃと連結部側面２１ｂとの間には、連結部側面２１ｂ側に間隔を次第に広くした連結部側傾斜面２１ｅが形成されている。  
一方、前側支柱９は、その正面の巾Ｗ０（図２（ａ）参照）が中間部の脚部間の間隔Ｗ２と略同じ寸法としてある。Ｗ０は例えば約２２ｍｍである。  
【００１２】
図７に示すように、係止金具３１は、前側支柱９及び後側支柱１１の長手方向任意の位置で、係止孔１７に係止して、棚板７を受けるものである。図６及び図８に示すように、係止金具３１は、上係止部３１ａと、下係止部３１ｂと、棚板載置部３１ｃと、棚板係合部３１ｄとを一体に有している。棚板係合部３１ｄは、棚板載置部３１ｃを切お越して形成されている。また、上係止部３１ａと、下係止部３１ｂには、それぞれ左右に係合突起３１ｅが形成されている。各係合突起３１ｅは、図２（ａ）に示すように、支柱９、１１の回転防止溝１９に係合して、係止金具３１の回転を防止している。  
棚板７は、図７及び図８に示すように、対向する枠体５、５間において、前側支柱９と後側支柱１１に係止した係止金具３１間に載置して、枠体５、５間に取付けている。棚板７は前方を下に傾斜して取付けてある。  
【００１３】
次に、ラックの組立について説明する。  
図５に示すように、まず枠体５を組み立てる。枠体５の組立は、上横材１３の前側と後側の各端部１３ａ、１３ａと、これらに対応する下横材１５の前側と後側の各端部１５ａ、１５ａに、それぞれ前側支柱９及び後側支柱１１の各端部を挿入して、脚部２１、２１の中間部２４（図１参照）にビス２７で固定する。  
ここで、上横材１３と下横材１５に各支柱９、１１の端部を挿入する工程を詳しく説明するが、各横材１３、１５と各支柱９、１１の挿入工程は、同様であるから、上横材１３の前側端部１３ａと、前側支柱９の上端部９ａの挿入工程のみを説明する。  
また、図３及び図４（ａ）に示すように、前側支柱９は形材を所定の長手寸法に切断して用いている為、切断した端にばりＢが残っていることがあるが、前側支柱９の端に残ったばりＢはそのままにして、上横材１３の前側端部１３ａに前側支柱９の上端部９ａを挿入する。  
上横材１３の前側部１３ａと前側支柱９の上端部９ａの挿入方法としては、上横材１３の横側から挿入する方法（図３参照）と、脚部２１、２１間の開口部２５側から挿入する方法（図４）とがあるが、まず、図３を参照して横側から挿入する方法を説明する。  
【００１４】
図３に示すように、上横材１３の前側端部１３ａに、上横材１３の横方向から前側支柱９の上端部９ａの位置を、上横材１３の連結部の下面に合わせて、脚部２１、２１間に挿入する。  
ばりＢは、中間部の脚部間の間隔Ｗ２よりも広い連結部側の脚部間の間隔Ｗ３に前側支柱９の上端部９ａと共に収めることができる。  
更に、図１に示すように、本実施の形態では、連結部２３のコーナーには、窪み部３０が形成されているので、ばりＢが大きい場合でも、窪み部３０に逃すことができる。これにより、前側支柱９の上端部９ａをきっちりと上横材１３の脚部２１、２１間に収めることができる。  
【００１５】
次に、図４を参照して、脚部２１、２１間の開口部２５側から挿入する方法について、説明する。  
図４（ａ）に示すように、前側支柱９の上端部９ａを上横材１３の開口部２５から上横材１３の脚部２１、２１間に挿入する。前側支柱９の幅Ｗ０は、脚部２１、２１間の中間部の間隔Ｗ２と略同じであり、開口部側の間隔Ｗ１は中間部の間隔Ｗ２より広いので（図１参照）、前側支柱９はばりＢを残したまま開口部２５に挿入し易い。  
図４（ｂ）に示すように、前側支柱９の上端部９ａを更に上横材１３の脚部２１、２１間に挿入していくと、開口側面２１ａ、２１ａを通過した後、ばりＢは開口側傾斜面２１ｄに案内されて、前側支柱９側に押し付けられ、前側支柱９の側面に重なるように変形して押しつぶされ又は切断された後、脚部２１、２１の中間面２１ｃ、２１ｃ間（中間部）を通過する。  
図４（ｃ）に示すように、中間面２１ｃ、２１ｃを通過した後、連結部側面２１ｂ、２１ｂに到達すると、ばりＢは変形後に復帰し又は変形したまま中間部の間隔Ｗ２よりも広い連結部側の間隔Ｗ３の連結部側面２１ｂ、２１ｂ間を通過し、前側支柱９の上端部９ａは上横材１３の連結部２３に当接する。  
更に、本実施の形態では、連結部２３のコーナーには、窪み部３０が形成されているので、ばりＢが大きい場合でも、前側支柱９の上端部９ａが連結部２３に当接した状態で、ばりＢを窪み部３０に逃すことができる。これにより、前側支柱９の上端部９ａをきっちりと上横材１３の連結部２３に当接させることができる。  
【００１６】
図８（ｂ）に示すように、枠体５を組立てた後、左右に枠体５を間隔をあけて配置し、左右の枠体５、５の前側下部どうしを前下板６で連結し、左右の枠体５、５の前側上部どうしを前上板８で連結し、前上板８を上躯体２ａに連結金具１０ａで固定する。  
更に、図７に示すように、下支持部材１２を各枠体５に連結して、下支持部材１２の前側端部を下躯体２ｂに連結金具１０ｂで固定する。  
その後、対向する前側支柱９及び後側支柱１１の所定高さの係止孔１７に係止金具３１を取り付ける。図８（ｂ）に示すように、係止金具３１を各支柱９、１１に取り付けるときには、上係止部３１ａ及び下係止部３１ｂをそれぞれ対応する係止孔１７に係止し、図２（ａ）に示すように、係合突起３１ｅを回転防止溝１９に係合して取付ける。  
次に、図８（ｂ）に示すように、各係止金具３１の棚板載置部３１ｃに棚板７を載置すると共に棚板係合部３１ｄを棚板７に係合する。  
【００１７】
本発明の実施の形態にかかるラック１の作用効果について説明する。  
ラック１は、前側支柱（支柱）９、後側支柱（支柱）１１、上横材（横材）１３及び下横材（横材）１５はアルミニウム製であるから、これらがスチール製の場合に比較して、軽量で運搬し易いと共にさび難い。  
上横材（横材）１３及び下横材（横材）１５は、連結部２３側の脚部２１、２１間の間隔Ｗ２が、開口部２５と連結部２３との間の中間部２４の脚部２１、２１間の間隔Ｗ２よりも広くしてあるから、上横材１３及び下横材１５に前側支柱９及び後側支柱１１の各端部９ａ、１１ａを挿入するときに各支柱９、１１の端部９ａ、１１ａに切断のばりＢ等があっても、ばり取り加工等を施すことなく、そのまま挿入して組立できるから組立性が良い。即ち、支柱９、１１の端部に切断のばりＢ等がある場合でも、そのまま上横材（横材）１３及び下横材（横材）１５の横方向又は開口部２５側から挿入でき、ばりＢを中間部よりも間隔の広い連結部２３側に各支柱９、１１の端部９ａ、１１ａと共に収めることができるので組立の邪魔にならない。更に、開口部側の脚部２１、２１間の間隔Ｗ１を中間部の脚部２１、２１間の間隔Ｗ２よりも広くしてあるから、支柱９、１１の端部を開口部２５側から挿入するときに、挿入し易い。  
【００１８】
上横材１３及び下横材１５では各々、連結部２３と脚部２１とのコーナー部に窪み部３０を形成しているので、各支柱９、１１の端部に、ばりＢが大きく残った場合でも窪み部３０に逃すことができる。  
前側支柱（支柱）９及び後側支柱（支柱）１１は、長手方向に列設した係止孔１７の列を挟む両側に係止孔１７に係止する係止金具３１の回転防止溝１９が形成してあり、係止金具３１は回転防止溝１９に係合する係合突起３１ｅを有しているから、係止金具３１の回転によるずれを防止できる。  
前側支柱９及び後側支柱１１は、中空形材を用いているので、２つのソリッド形材を連結して中空を形成して場合に比較して、連結部に水が入るという不都合を防止できる。また、ソリッド形材を用いた場合の連結工程を不要にできる。  
【００１９】
本発明は、上述した実施の形態に限らず、本発明の要旨を逸脱しない範囲で種々変形可能である。  
例えば、開口部側の脚部２１、２１間の間隔Ｗ１は、中間部の脚部２１、２１間の間隔Ｗ２と同じにして、連結部側の脚部２１、２１間の間隔Ｗ３のみを中間部よりも広くしても良い。  
また、上横材１３及び下横材１５は、それぞれ脚部２１、２１と連結部２３とのコーナー部に窪み部３０を形成することに限らず、窪み部３０がないコーナー部としても良い。
ラック１は、冷蔵庫内に設置することに限らず、店内や室内に設置するものであっても良い。  
各横材１３、１５は、前側支柱９と後側支柱１１に架設することに限らず、前側支柱９，９どうしを架設したり、後側支柱１１、１１どうしに架設するものであっても良い。
【符号の説明】
【００２０】
１    ラック
９    前側支柱
９ａ  端部
１１  後側支柱
１１ａ  端部
１３  上横材
１５  下横材
２１  脚部
Ｗ２  中間部の脚部間の間隔
Ｗ３  連結部側の脚部間の間隔
【図１】
2020018485.tif 000003
【図２】
2020018485.tif 000004
【図３】
2020018485.tif 000005
【図４】
2020018485.tif 000006
【図５】
2020018485.tif 000007
【図６】
2020018485.tif 000008
【図７】
2020018485.tif 000009
【図８】
2020018485.tif 000010